(57)【要約】      （修正有）【課題】支承を確実に保護することはもちろんのこと、保護部材の劣化を好適に防ぐことができ、また、保護部材の状態を容易に確認できる構成を採用することで、メンテナンス性の向上と維持管理コストの削減を図る橋梁用支承装置を提供する。【解決手段】支承保護用型枠１１は、橋梁を構成する橋脚又は橋台５２からなる下部構造と、橋桁５３からなる上部構造との間に設置され、上部構造の変形又は変位を吸収するとともに当該上部構造の荷重を下部構造に伝達する支承５４を、保護するために設けられる部材である。そして、この支承保護用型枠１１は、支承５４の周りを取り囲んで設置される内枠１２と、内枠１２の周りを取り囲んで設置される外枠１３とを備えることで二重構造の型枠として構成されている。【選択図】図１
0003157915.tif 000002
【実用新案登録請求の範囲】
【請求項１】
橋梁を構成する橋脚又は橋台からなる下部構造と、橋桁からなる上部構造との間に設置され、前記上部構造の変形又は変位を吸収するとともに当該上部構造の荷重を前記下部構造に伝達する支承を保護するために設けられる支承保護用型枠であって、
前記支承の周りを取り囲んで設置される内枠と、
前記内枠の周りを取り囲んで設置される外枠と、
を備えることで、二重構造の型枠として構成されることを特徴とする支承保護用型枠。
【請求項２】
請求項１に記載の支承保護用型枠において、
前記内枠の下方には、前記下部構造との境界に生ずる隙間を埋めるためのシール部材が設置されており、
前記内枠と前記シール部材とが協働することで、前記支承の上方のみが解放された支承包囲空間が形成され、当該支承包囲空間に対して支承を保護するための支承保護材料を充填可能であることを特徴とする支承保護用型枠。
【請求項３】
請求項１又は２に記載の支承保護用型枠において、
前記外枠は、取外し自在に構成されていることを特徴とする支承保護用型枠。
【請求項４】
請求項１〜３のいずれか１項に記載の支承保護用型枠において、
前記内枠は、透明材料によって構成され、
前記外枠は、不透明材料によって構成されることを特徴とする支承保護用型枠。
【請求項５】
請求項１〜４のいずれか１項に記載の支承保護用型枠において、
前記外枠は、紫外線の透過を遮蔽する紫外線遮蔽材料によって構成されていることを特徴とする支承保護用型枠。
【請求項６】
橋梁を構成する橋脚又は橋台からなる下部構造と、橋桁からなる上部構造との間に設置され、前記上部構造の変形又は変位を吸収するとともに当該上部構造の荷重を前記下部構造に伝達する支承と、
前記支承を保護するために設けられる支承保護用型枠と、
を備える橋梁用支承装置であって、
前記支承保護用型枠は、
前記支承の周りを取り囲んで設置される内枠と、
前記内枠の周りを取り囲んで設置される外枠と、
を備えることで、二重構造の型枠として構成されることを特徴とする橋梁用支承装置。
【請求項７】
請求項６に記載の橋梁用支承装置において、
前記内枠の下方と前記下部構造との境界には、当該境界に生ずる隙間を埋めるためのシール部材が設置されており、
前記内枠と前記シール部材とが協働することで、前記支承の上方のみが解放された支承包囲空間が形成され、当該支承包囲空間に対して支承を保護するための支承保護材料が充填されていることを特徴とする橋梁用支承装置。
【請求項８】
請求項６又は７に記載の橋梁用支承装置において、
前記外枠は、取外し自在に構成されていることを特徴とする橋梁用支承装置。
【請求項９】
請求項６〜８のいずれか１項に記載の橋梁用支承装置において、
前記内枠は、透明材料によって構成され、
前記外枠は、不透明材料によって構成されることを特徴とする橋梁用支承装置。
【請求項１０】
請求項６〜９のいずれか１項に記載の橋梁用支承装置において、
前記外枠は、紫外線の透過を遮蔽する紫外線遮蔽材料によって構成されていることを特徴とする橋梁用支承装置。
【考案の詳細な説明】
【技術分野】
【０００１】
本考案は、橋梁の橋脚等の下部構造上において橋桁等の上部構造を支持する支承を保護するために設けられる支承保護用型枠、及びこの支承保護用型枠を備える橋梁用支承装置に関するものである。
【背景技術】
【０００２】
従来から知られる橋梁の一般的な構造は、例えば図５に示すように、橋梁５０を構成する橋脚５１又は橋台５２からなる下部構造と、橋桁５３からなる上部構造と、これら下部構造と上部構造との間に設置される支承５４とを備えて構成されるものである。特に、支承５４は、上部構造の変形又は変位を吸収するとともに当該上部構造の荷重を下部構造に伝達する役割を果たす部材である。一般的な支承５４の具体的な構成は、橋脚５１や橋台５２に定着された下沓と、橋桁５３に連結された上沓とに分かれており、上沓が下沓に対し橋軸方向に摺動可能になっている。これにより、温度変化等による橋桁５３の橋軸方向への伸縮を上沓の変位で吸収するようになっている。
【０００３】
また、通常、支承５４には鋼製の部材が多く用いられており、年数が経つと発錆のおそれがある。特に、海岸近くの潮風に晒される場所に設置されたものは発錆しやすい。また、豪雪地帯では積雪対策用に撒いた塩化物によって錆が出来やすくなる。そのような場合、従来はサンドブラストを行ない、亜鉛溶射し、上塗塗装を施している。
【０００４】
しかし、支承５４の下沓の内面や上沓の下面等には、その構造上、サンドブラストが当たり難い。また、そのような個所に発生する錆は、ノミやハンマー等の手工具で剥がすことになるが、その作業は極めて煩雑であり、完全に除去するには限界がある。そのため、錆が残存したまま亜鉛溶射せざるを得ない現状があり、上塗塗装も確実性が十分でない。したがって、数年も経つと、この個所から再び発錆することが散見されている。
【０００５】
そこで、支承５４の保護効果とメンテナンス性を向上するための技術が、従来から提案されている。例えば、下記特許文献１には、支承の外周露出部をシート状に形成された弾性シール材で密封状に被覆した支承用のカバーが記載されている。この防錆カバーによれば、支承が弾性シール材で完全に外気から隔離保護されるので、支承に対する防水、防塵は完全になされ、支承の耐久性を向上することができるとされている。
【０００６】
また、下記特許文献２には、支承構造の周囲を桁の伸縮や角度変化に順応する弾力を有するシール材で包囲し、シール材の上下を支承面と支承構造を取り付けている面とに接着せしめて支承構造を密封状態に保護せしめ、シール材と支承構造との間にグリス或いは潤滑油を介在せしめた橋梁用桁支承部の防錆法が記載されている。この防錆法によれば、シール材で支承構造の周囲を包囲してその中にグリスや潤滑油を入れて支承構造を保護せしめるので、鉄製の支承構造の錆発生を恒久的に防止し得る、とされている。
【先行技術文献】
【特許文献】
【０００７】
【特許文献１】実開昭６２−１９６２１３号公報
【特許文献２】特公平３−１２１７１号公報
【考案の概要】
【考案が解決しようとする課題】
【０００８】
しかしながら、上掲した特許文献１，２に記載された従来技術については、いずれも支承を保護材料によって完全に密封状態とすることが行われており、保護材料を設置した後のメンテナンス性や維持管理の容易性等を考慮したものとはなっていなかった。また、従来技術の保護対策が実施された支承の経年劣化の状態を把握するためには、検査の度に保護材料を破壊しなければならず、コスト的にも問題が多い。
【０００９】
本考案は、上述した課題の存在に鑑みてなされたものであって、その目的は、支承を確実に保護することはもちろんのこと、保護部材の劣化を好適に防ぐことができ、また、保護部材の状態を容易に確認できる構成を採用することで、メンテナンス性の向上と維持管理コストの削減を図ることのできる新たな技術を提供することにある。
【課題を解決するための手段】
【００１０】
本考案に係る支承保護用型枠は、橋梁を構成する橋脚又は橋台からなる下部構造と、橋桁からなる上部構造との間に設置され、前記上部構造の変形又は変位を吸収するとともに当該上部構造の荷重を前記下部構造に伝達する支承を保護するために設けられる支承保護用型枠であって、前記支承の周りを取り囲んで設置される内枠と、前記内枠の周りを取り囲んで設置される外枠と、を備えることで、二重構造の型枠として構成されることを特徴とする。
【００１１】
また、本考案に係る支承保護用型枠において、前記内枠の下方には、前記下部構造との境界に生ずる隙間を埋めるためのシール部材が設置されており、前記内枠と前記シール部材とが協働することで、前記支承の上方のみが解放された支承包囲空間が形成され、当該支承包囲空間に対して支承を保護するための支承保護材料を充填可能とすることができる。
【００１２】
さらに、本考案に係る支承保護用型枠において、前記外枠は、取外し自在に構成することができる。
【００１３】
またさらに、本考案に係る支承保護用型枠において、前記内枠は、透明材料によって構成し、前記外枠は、不透明材料によって構成することができる。
【００１４】
さらにまた、本考案に係る支承保護用型枠において、前記外枠は、紫外線の透過を遮蔽する紫外線遮蔽材料によって構成されていることとすることができる。
【００１５】
本考案に係る橋梁用支承装置は、橋梁を構成する橋脚又は橋台からなる下部構造と、橋桁からなる上部構造との間に設置され、前記上部構造の変形又は変位を吸収するとともに当該上部構造の荷重を前記下部構造に伝達する支承と、前記支承を保護するために設けられる支承保護用型枠と、を備える橋梁用支承装置であって、前記支承保護用型枠は、前記支承の周りを取り囲んで設置される内枠と、前記内枠の周りを取り囲んで設置される外枠と、を備えることで、二重構造の型枠として構成されることを特徴とする。
【００１６】
また、本考案に係る橋梁用支承装置において、前記内枠の下方と前記下部構造との境界には、当該境界に生ずる隙間を埋めるためのシール部材が設置されており、前記内枠と前記シール部材とが協働することで、前記支承の上方のみが解放された支承包囲空間が形成され、当該支承包囲空間に対して支承を保護するための支承保護材料が充填されていることとすることができる。
【００１７】
さらに、本考案に係る橋梁用支承装置において、前記外枠は、取外し自在に構成することができる。
【００１８】
またさらに、本考案に係る橋梁用支承装置において、前記内枠は、透明材料によって構成し、前記外枠は、不透明材料によって構成することができる。
【００１９】
さらにまた、本考案に係る橋梁用支承装置において、前記外枠は、紫外線の透過を遮蔽する紫外線遮蔽材料によって構成されていることとすることができる。
【考案の効果】
【００２０】
本考案によれば、支承を確実に保護することはもちろんのこと、保護部材の劣化を好適に防ぐことができ、また、保護部材の状態を容易に確認できる構成を採用することで、メンテナンス性の向上と維持管理コストの削減を図ることのできる新たな支承保護用型枠と、この支承保護用型枠を備える橋梁用支承装置を提供することができる。
【図面の簡単な説明】
【００２１】
【図１】本実施形態に係る支承保護用型枠を備える橋梁用支承装置の概略構成を説明するための縦断面図である。
【図２】本実施形態に係る支承保護用型枠を備える橋梁用支承装置の施工手順を示したフローチャートである。
【図３】図２で示す施工手順に沿って施工内容を説明するための概略図である。
【図４】本考案に係る内枠及び外枠が取り得る多様な変形形態の一例を示す図である。
【図５】従来から知られる橋梁の一般的な構造を示す図である。
【考案を実施するための形態】
【００２２】
以下、本考案を実施するための好適な実施形態について、図面を用いて説明する。以下の実施形態は、各請求項に係る考案を限定するものではなく、また、実施形態の中で説明されている特徴の組み合わせの全てが考案の解決手段に必須であるとは限らない。なお、背景技術の欄にて説明した部材と同一又は類似する部材については、同一符号を付して詳細説明を省略する場合がある。
【００２３】
図１は、本実施形態に係る支承保護用型枠を備える橋梁用支承装置の概略構成を説明するための縦断面図である。図１に記載される橋梁用支承装置１０は、橋台５２からなる下部構造と橋桁５３からなる上部構造との間に設置される支承５４と、この支承５４の周囲に対して設置される支承保護用型枠１１とから構成されている。
【００２４】
本実施形態に係る支承保護用型枠１１は、支承５４の周りを取り囲んで設置される内枠１２と、内枠１２の周りを取り囲んで設置される外枠１３と、を備えることで二重構造の型枠として構成されるものである。これら内枠１２と外枠１３とは、支承５４の周りを円周状に取り囲む部材であり、円筒形形状をした二重型枠として構成されるものである。
【００２５】
内枠１２は、支承５４を包含することのできる周長を有する帯状の長方形からなる板材によって構成されており、この長方形板材を支承５４の周囲を取り囲むように湾曲して巻き回し、長方形板材の端部同士をシールテープ等の接続手段を用いて確実に接続することにより、円筒形形状からなる型枠として構成されている。内枠１２を構成する材料は、例えばプラスチック等の透明材料によって構成されており、内枠１２を支承５４の周囲に対して設置した際に、内枠１２の内部が目視によって観察可能となるような材料選択がされている。なお、内枠１２の構成材料となる長方形板材の寸法については、保護対象となる支承５４の形状や設置場所の条件等に応じて任意に選択すればよい。例えば、長方形板材の幅（高さ）寸法については、支承５４の周囲を取り囲むように湾曲して巻き回したときに、後述するシール部材１４と協働して少なくとも支承５４の最上面を越える高さとすることが好適である。また、長方形板材の厚み寸法については、０．５〜６．０ｍｍ程度とすることができる。
【００２６】
外枠１３は、上述した内枠１２の周囲を取り囲んで設置される部材である。外枠１３の構成材料についても、内枠１２の周囲を完全に取り囲むことができるような周長を有する帯状の長方形からなる板材によって構成されており、この長方形板材を内枠１２の周囲を取り囲むように湾曲して巻き回し、長方形板材の端部同士をシールテープ等の接続手段を用いて確実に接続することにより、円筒形形状からなる型枠として構成されている。
【００２７】
外枠１３を構成する材料には、光の透過を遮蔽する不透明材料が採用されており、具体的には、紫外線の透過を遮蔽する機能を備える紫外線遮蔽材料が用いられている。外枠１３を紫外線遮蔽材料によって構成することにより、内枠１２の内部に充填される支承保護材料１６（詳細は後述する）の劣化を防止することができるので、橋梁用支承装置１０の寿命や支承保護効果を長期間に渡って維持することが可能となる。
【００２８】
また、外枠１３については、取外し自在な構成とされている。したがって、不透明材料からなる外枠１３を取り外せば、透明材料からなる内枠１２を通して支承５４や後述する支承保護材料１６などといった支承保護用型枠１１内部の状況を容易に確認することができるので、メンテナンス作業や管理作業が非常に容易である。よって、本考案に係る支承保護用型枠１１によれば、従来技術に比べて、メンテナンス性の向上と維持管理コストの削減を図ることが可能となる。
【００２９】
以上のように、本実施形態に係る支承保護用型枠１１では、内枠１２と外枠１３とから構成される二重構造の型枠によって支承５４を取り囲んでいるが、さらに、内枠１２の下方には、下部構造である橋台５２との境界に生ずる隙間を埋めるためのシール部材１４が設置されている。このシール部材１４には、例えば、流動性を有するスラリー材を採用することが好適であり、具体的には、樹脂モルタルやセメントモルタルを採用することができる。
【００３０】
内枠１２とシール部材１４とが協働することで、支承５４の上方のみが解放された支承包囲空間１５が形成されることとなる。この支承包囲空間１５に対しては、支承５４を保護するための支承保護材料１６を充填することが可能となっており、支承包囲空間１５内に充填された支承保護材料１６が、支承５４を確実に保護する機能を発揮することとなる。支承保護材料１６としては、粘弾性材料を採用することが好ましく、その由来成分については、樹脂系や無機系、油性のものなど、あらゆるものを採用することができる。
【００３１】
本実施形態に係る支承保護用型枠１１を備える橋梁用支承装置１０は、以上のような構成を有しているので、様々な好適な作用効果を発揮することが可能となっている。すなわち、内枠１２とシール部材１４とが協働して支承５４の周りを支承保護材料１６で確実に満たすようになっているので、支承５４を確実に保護することができる。また、内枠１２の全周囲を取り囲んで設置される外枠１３が、不透明な紫外線遮蔽材料によって構成されているので、内枠１２の内部に充填される支承保護材料１６への紫外線の影響が除去され、支承保護材料１６が変色したり劣化したりすることを好適に防ぐことができる。さらに、外枠１３は取外し自在に構成されており、内枠１２は透明材料によって構成されているので、支承５４や支承保護材料１６の状態を容易に確認できる。したがって、本考案に係る橋梁用支承装置１０は、従来技術に比べて、メンテナンス性を向上し、維持管理コストを削減することのできる好適な構成となっている。
【００３２】
以上、図１を用いることで、本実施形態に係る支承保護用型枠１１を備える橋梁用支承装置１０の具体的な構成についての説明を行った。次に、図２及び図３を用いることで、本実施形態に係る支承保護用型枠１１を備える橋梁用支承装置１０の施工手順についての説明を行う。ここで、図２は、本実施形態に係る支承保護用型枠を備える橋梁用支承装置の施工手順を示したフローチャートである。また、図３は、図２で示す施工手順に沿って施工内容を説明するための概略図である。
【００３３】
まず、支承保護用型枠１１の構成材料を準備する（図２のステップＳ１０、図３の分図（ａ）参照）。内枠１２の構成材料には、透明なプラスチック材料からなる長方形板材１２’を用意し、外枠１３の構成材料には、不透明な紫外線遮蔽材料からなる長方形板材１３’を用意する。なお、各長方形板材１２’、１３’の両端部には、あらかじめフック形状１２ａ、１３ａをそれぞれ形成しておき、フック形状１２ａ、１３ａを利用することによって両端部同士を容易に接続することができるようにしておく。
【００３４】
次に、支承５４の外周に内枠１２を設置する（図２のステップＳ１１、図３の分図（ｂ）参照）。設置手法としては、長方形板材１２’の一方の端部を支承５４の背面に差し込み、この端部を引き寄せて他方の端部に近付け、ステップＳ１０にて形成しておいたフック形状１２ａを利用することで両端部を接続する。そして、この両端部の接続部をシールテープ１２ｂにて貼り合わせることで内枠１２が完成する。
【００３５】
その次に、内枠１２の外周に外枠１３を設置する（図２のステップＳ１２、図３の分図（ｃ）参照）。設置手法は、内枠１２の場合と同様であり、長方形板材１３’の一方の端部を内枠１２の背面に差し込み、この端部を引き寄せて他方の端部に近付け、ステップＳ１０にて形成しておいたフック形状１３ａを利用することで両端部を接続する。そして、この両端部の接続部をシールテープ１３ｂにて貼り合わせることで外枠１３が完成する。
【００３６】
続いて、内枠１２の下方と下部構造である橋台５２との間に存在する隙間を埋めるために、シール部材１４を流し込む（図２のステップＳ１３、図３の分図（ｄ）参照）。そして、シール部材１４が未硬化の間に内枠１２（及び外枠１３）の位置調整を実施する（図２のステップＳ１４）。内枠１２（及び外枠１３）を所定の位置に確実に固定するために、テコなどの工具が利用される。
【００３７】
シール部材１４が硬化して内枠１２（及び外枠１３）が所定の位置で固定設置されると、内枠１２とシール部材１４とが協働することで形成された支承包囲空間１５内に対して支承保護材料１６を充填する（図２のステップＳ１５、図３の分図（ｅ）参照）。以上の施工手順によって、本実施形態に係る支承保護用型枠１１を備える橋梁用支承装置１０が完成する。
【００３８】
以上、本考案の好適な実施形態について説明したが、本考案の技術的範囲は上記実施形態に記載の範囲には限定されない。上記実施形態には、多様な変更又は改良を加えることが可能である。
【００３９】
例えば、上述した実施形態では、内枠１２と外枠１３が円筒形形状を有して構成される場合について説明したが、本考案に係る内枠及び外枠については、矩形形状などといったあらゆる形状を採用することができる。内枠及び外枠の外郭形状については、支承５４の形状や支承周辺の条件等に応じて任意の形状を採用すればよい。
【００４０】
また、上述した内枠１２及び外枠１３の外郭形状については、施工手順を考慮して、施工のし易い形状を採用することができる。例えば、図４には、本考案に係る内枠及び外枠が取り得る多様な変形形態の一例が示してある。図４に示すように、支承５４の上方に設置される橋桁５３等の上部構造が図中の分図（ａ）で示すような矩形形状をしている場合には、この上部構造の矩形形状を考慮しながらも支承５４の全周囲を完全に取り囲めるような、上方に切欠き形状を有する内枠１２''と外枠１３''を採用することが好適である（図４中の分図（ｂ）参照）。図４に例示するような外郭形状を有する内枠１２''と外枠１３''を採用することにより、内枠１２''内部に形成された支承包囲空間に対して支承保護材料を充填するための注ぎ口αが確保できるとともに、上部構造との境界に生じる隙間を極力小さくすることができるので、支承保護材料の保護の面で好ましい。また、このような構成によれば、上部構造との境界に生じる隙間を塞ぐためのシール部材の量を最小限に抑えることができるので、施工コストを抑制する効果も得られる。
【００４１】
なお、内枠１２''と外枠１３''の最上面の配置位置は、支承５４の最上部よりも３０ｍｍ程度上方に出るように長めに設定することが好ましい（図４参照）。この上方に３０ｍｍ延びた個所を利用することで、支承５４を支承保護材料１６で完全に取り囲むことができる。採用可能な具体的構成としては、３０ｍｍ延びた個所のうち、下から１０ｍｍの部分までに支承保護材料１６を充填し、残りの２０ｍｍの部分に加工硅砂を充填することが好適である。下から１０ｍｍの部分までに支承保護材料１６を充填することで支承５４を支承保護材料１６で完全に取り囲み、さらに残りの２０ｍｍの部分に加工硅砂を充填することで、紫外線や雨水等の外部影響を支承保護材料１６に対して及ぼさないようにすることができる。
【００４２】
さらに、上述した実施形態では、外枠１３が不透明材料、かつ、紫外線遮蔽材料によって構成されている場合を例示して説明した。しかしながら、本考案に係る外枠が取り得る形態としては、不透明である構成と、紫外線の透過を遮蔽することができる機能とのいずれか一方を備えているものを採用することができる。外枠が不透明材料によって構成されることだけでも、外枠内部の部材を太陽光等の外部刺激から保護することができるし、外枠の構成材料として透明体からなる紫外線遮蔽材料を用いることでも、外枠内部の部材を紫外線から保護することができる。
【００４３】
その様な変更又は改良を加えた形態も本考案の技術的範囲に含まれ得ることが、実用新案登録請求の範囲の記載から明らかである。
【符号の説明】
【００４４】
１０  橋梁用支承装置、１１  支承保護用型枠、１２，１２''  内枠、１２’  （内枠の構成材料である）長方形板材、１２ａ  （内枠の）フック形状、１２ｂ  （内枠の）シールテープ、１３，１３''  外枠、１３’  （外枠の構成材料である）長方形板材、１３ａ  （外枠の）フック形状、１３ｂ  （外枠の）シールテープ、１４  シール部材、１５  支承包囲空間、１６  支承保護材料、５０  橋梁、５１  橋脚、５２  橋台、５３  橋桁、５４  支承、α  注ぎ口。
【図１】
0003157915.tif 000003
【図２】
0003157915.tif 000004
【図３】
0003157915.tif 000005
【図４】
0003157915.tif 000006
【図５】
0003157915.tif 000007